(57)【要約】    【課題】材料としての機械的強度に劣る樹脂から構成された場合であっても、全体としての剛性及び耐衝撃性に優れる軽量で安価なルアーの提供。    【解決手段】このルアー１０は、フレーム１１と左パネル１２及び右パネル１３を備える。左パネル１２及び右パネル１３は、フレーム１１に嵌め込まれて固定される。ルアー１０は中空構造を有し、軽量化が図られている。フレーム１１は、錘１４、ラインアイ１５及びフックアイ１６、１７を有する。これらは、フレーム１１と一体的に形成されている。フレーム１１は、その外縁部がルアー１０の外縁部から露出している。フレーム１１は特に金属により構成される。【選択図】図１
2005348671.tif 000002
【特許請求の範囲】
【請求項１】
骨格を形成するフレーム及び当該フレームに設けられたパネルを有するルアー本体を備えたルアー。
【請求項２】
上記パネルは、上記フレームの左右に配置され、上記ルアー本体の外形を形成する一対の側板からなり、
当該各側板は、上記ルアー本体が中空構造を有するように上記フレームに固定されている請求項１に記載のルアー。
【請求項３】
上記フレームは、上記ルアー本体の前後方向に延びる金属製環状部材からなり、当該金属製環状部材には、錘、ラインアイ及びフックアイが一体的に設けられている請求項１又は２に記載のルアー。
【請求項４】
上記フレームの外縁部が上記ルアー本体から露出している請求項１ないし３のいずれかに記載のルアー。
【発明の詳細な説明】
【技術分野】
【０００１】
本発明は、釣りの際に疑似餌として使用されるルアーの構造に関するものである。
【背景技術】
【０００２】
釣りの際に使用されるルアーには様々な種類のものがある。例えばプラグと称されるルアーは、一般に樹脂から構成されているものが多い（例えば、特許文献１、２参照）。このようなルアーは、ボディと、ボディに設けられた錘、フックアイ及びラインアイとを備えている。ボディは、通常予め二分割されており、このボディを構成する部材が接着剤等によって接合されている。すなわち、従来のルアーは、中空モノコック構造を有し、軽量で、釣人にとって扱いやすいものであった。
【０００３】
【特許文献１】特開２００３−３３３９６０公報
【特許文献２】特開２００３−３３３９６１公報
【発明の開示】
【発明が解決しようとする課題】
【０００４】
ところで、最近では、ルアーをはじめとする樹脂からなる釣具は、生分解樹脂により構成されるべきであるという要請がある。しかし、生分解樹脂は、材料としての機械的強度に劣り、そのため、生分解樹脂によりルアーが構成される場合には、当該ルアーのボディの肉厚寸法がきわめて大きくなってしまう。その結果、ルアーは、その重量が大きくなり、釣人にとって扱いにくいものになってしまうと共に、重心位置設計の自由度が小さくなってしまうという不都合があった。
【０００５】
そこで、本発明の目的は、材料としての機械的強度に劣る樹脂から構成されつつも、全体としての剛性及び耐衝撃性に優れる軽量で安価なルアーを提供することである。
【課題を解決するための手段】
【０００６】
(1) 上記目的が達成されるため、本発明に係るルアーは、骨格を形成するフレーム及び当該フレームに設けられたパネルを有するルアー本体を備えていることを特徴とするものである。この発明では、ルアー本体がフレームを備えていることから、当該ルアー本体の強度設計の自由度が高くなる。言い換えると、従来では、ルアー本体（ボディ）がモノコック構造を有していたことから、ボディの強度設計は、構造物としてのボディ全体の強度を維持することを必須の条件として行われていたが、本発明では、上記ルアー本体が上記フレームに上記パネルが設けられることによって構成されているから、上記フレームの強度設計が行われることによって、上記ルアー本体の強度が維持される。したがって、機械的強度に劣る材料（例えば生分解樹脂）により上記パネルが構成されていても、上記フレームが十分な強度を備えているならば、上記ルアー本体全体としての強度は維持される。
【０００７】
(2) 上記パネルは、上記ルアー本体の外形を形成する一対の側板により構成される。この一対の側板は、それぞれ、上記フレームの左右に配置される。これら各側板は、上記ルアー本体が中空構造を有するように上記フレームに固定される。この構成では、ルアー本体が中空構造を備えるから、当該ルアーの重心位置の設計の自由度が向上する。
【０００８】
(3) 上記フレームは、上記ルアー本体の前後方向に延びる金属製環状部材から構成される。この金属製環状部材には、錘、ラインアイ及びフックアイが一体的に設けられているのが好ましい。この構成では、上記フレームが金属から構成され、しかも錘が一体的に設けられるので、当該ルアーの重心位置の設計の自由度がさらに向上する。さらに、このフレームにはラインアイ及びフックアイが設けられるので、上記ルアー本体の組立作業がきわめて容易になるという利点がある。
【０００９】
(4) 上記フレームの外縁部は、上記ルアー本体から露出しているのが好ましい。この構成では、例えば実釣中に当該ルアーが釣り場の石その他の障害物に衝突したときは、当該障害物に上記フレームが衝突する。したがって、上記ルアー本体が衝撃によって損傷を受けることが防止される。
【発明の効果】
【００１０】
本発明によれば、ルアー本体がフレーム及びパネルによって構成されるので、このパネルが例えば生分解樹脂により構成されても、当該ルアー本体は、軽量でしかも十分な強度を備えた設計がなされる。また、上記フレームに錘等が一体的に形成されることにより、組立コストが低減され、安価なルアーが提供される。
【発明を実施するための最良の形態】
【００１１】
以下、適宜図面が参照されつつ、好ましい実施形態に基づいて本発明が詳細に説明される。
【００１２】
図１は、本発明の一実施形態に係るルアーの正面図であり、図２は、左側面図である。
このルアー１０はルアー本体４０を備え、このルアー本体４０は、フレーム１１と、フレーム１１の左右両側にそれぞれ配置された左パネル１２及び右パネル１３とを備えている。各パネル１２、１３は、フレーム１１に対して左右対称に形成されている。これら左パネル１２及び右パネル１３は、このルアー１０のボディを構成している。
【００１３】
図３は、上記フレーム１１の正面図であり、図４は、左側面図である。
フレーム１１は、ルアー１０の骨格を形成する。このフレーム１１は、金属（典型的にはステンレス鋼又は真鍮）からなる。もっとも、フレーム１１の材質は金属に限定されるものではなく、樹脂等が採用されてもよい。フレーム１１は、図３が示すように、前後方向に延びる環状に形成されている。フレーム１１の幅寸法ｄは、０．５ｍｍ〜３．０ｍｍ程度に設定され、肉厚寸法ｔ１は、０．３ｍｍ〜３．０ｍｍに設定される。
【００１４】
フレーム１１は、錘１４、ラインアイ１５、フックアイ１６、１７を備えている。これら錘１４、ラインアイ１５、フックアイ１６、１７は、フレーム１１と一体的に形成されている。本実施形態では、ルアー１０は、バイブレーションタイプとして構成されているので、錘１４は、フレーム１１の前方下部に配置されている。この錘１４は、フレーム１１の前方下部の肉厚寸法が大きく設定されることによって構成されている。ただし、この錘１４の位置及びその質量は、ルアーの仕様に合わせて適宜設計変更されるものである。
【００１５】
フレーム１１には、嵌合孔１８〜２５が設けられている。各嵌合孔１８〜２５は、フレーム１１を貫通している。後述されるが、嵌合孔１８〜２１は、上記左パネル１２の取付孔として使用され、嵌合孔２２〜２５は、上記右パネル１３の取付孔として使用される。ラインアイ１５は、円環状に形成されている。アインアイ１５には、ライン（釣糸）が連結されるようになっている。フックアイ１６、１７も円環状に形成されている。これらフックアイ１６、１７には、フック（釣針）が連結されるようになっている。
【００１６】
図５は、上記右パネル１３の正面図であり、図６は、左側面図である。
右パネル１３は、上記フレーム１１の右側に取り付けられる側板として構成される。図１が示すように、左パネル１２及び右パネル１３の外縁形状は、上記フレーム１１の外縁形状に対して略相似形であり、上記フレーム１１の外縁形状よりも若干小さくなるように形成されている。前述のように、左パネル１２及び右パネル１３は、ルアー１０のボディを構成するものであるから、左パネル１２及び右パネル１３には、ベイトフィッシュの形態に酷似した模様（目や鱗の模様等）が付されている。この模様は、想定されるベイトフィッシュの種類に応じてさまざまな設計変更が施されるものである。
【００１７】
図５が示すように、右パネル１３は、ルアー１０の右側ボディを構成し、その外面は、図６が示すように外側に突出するように湾曲されている。右パネル１３は、その肉厚寸法ｔ２が０．８ｍｍ〜２．０ｍｍに設定されている。したがって、右パネル１３の内部は空洞２６が形成される。右パネル１３は、生分解樹脂により構成される。ただし、右パネル１３を構成する材料は、他の樹脂が採用されてもよい。
【００１８】
右パネル１３の周縁部２７には、当接平面２８が形成されている。この当接平面２８は、上記フレーム１１に当接される。この当接平面２８には、突起２９〜３２が設けられている。これら突起２９〜３２は、円柱状に形成されており、その外径寸法は、上記フレーム１１に設けられた嵌合孔１８〜２１の内径寸法に対応している。これら突起２９〜３２の位置は、上記嵌合孔１８〜２１の位置に対応している。
【００１９】
右パネル１３の内壁面には、図５が示すようにリブ３３、３４が形成されている。このリブ３３、３４は、右パネル１３と一体的に形成されており、右パネル１３の剛性を向上させている。もっとも、このリブ３３、３４は、省略されていてもよい。
【００２０】
右パネル１３の前方下部には、切欠部３５が設けられている。この切欠部３５は、図６が示すように右パネル１３が左右方向に凹となるように切り欠かれることによって構成されている。この切欠部３５の内壁面形状は、上記フレーム１１に設けられた錘１４の外形形状に対応されており、後述のように左パネル１２及び右パネル１３が上記フレーム１１に嵌め込まれた状態で、上記錘１４が上記切欠部３５の内側に隙間無く嵌め込まれるようになっている。
【００２１】
左パネル１２は、上記フレーム１１の左側に取り付けられる側板として構成され、且つルアー１０の左側ボディを構成する。左パネル１２は、上記右パネル１３と左右対称に形成されている。ただし、左パネル１２には、右パネル１３に設けられた上記突起２９〜３２と同様の突起が上記フレーム１１に設けられた嵌合孔２２〜２５に対応する位置に設けられている。なお、左パネル１２及び右パネル１３に上記空洞２６が設けられず、これらが無垢構造を備えていてもよいことは勿論である。また、本実施形態では、左パネル１２の突起は、右パネル１３の突起２９〜３２と左右対称となる位置に設けられていないが、左パネル１２の突起が右パネル１３の突起２９〜３２と左右対称の位置に設けられていてもよい。その場合、上記フレーム１１に設けられた嵌合孔２２〜２５は省略され、上記嵌合孔１８〜２１に左パネル１２の突起及び右パネル１３の突起が対向するように嵌め込まれる。
【００２２】
本実施形態に係るルアー１０は、上記フレーム１１に上記左パネル１２及び右パネル１３が取り付けられることによって構成される。具体的には、フレーム１１の右側に上記右パネル１３が配置され、右パネル１３の上記突起２９〜３２がフレーム１１の嵌合孔１８〜２１に嵌め込まれることによって、当該右パネル１３がフレーム１１に固定される。このとき、接着剤等によって両者が確実に固着されるのが好ましい。また、左パネル１２についても同様である。前述のように、左パネル１２及び右パネル１３の外縁形状は、フレーム１１の外縁形状よりも若干小さく形成されているから、左パネル１２及び右パネル１３がフレーム１１に固定されると、当該ルアー１０のボディから金属製のフレーム１１が露出することになる。
【００２３】
このルアー１０では、ルアー本体４０がフレーム１１を備えていることから、このフレーム１１と左パネル１２及び右パネル１３とにより構成されるルアー本体４０の強度設計の自由度が高くなる。すなわち、ルアー本体４０がフレーム１１に上記左右のパネル１２、１３が設けられることによって構成されているから、フレーム１１の強度設計が行われることによって、ルアー本体４０の強度が維持される。したがって、本実施形態のように、上記左パネル１２及び右パネル１３が機械的強度に劣る材料（生分解樹脂）により構成された場合であっても、フレーム１１が十分な強度を備えているならば、ルアー本体４０全体としての強度は維持される。その結果、ルアー１０は、軽量でしかも釣人にとって扱いやすいものとなる。しかも、フレーム１１に左パネル１２及び右パネル１３が嵌め込まれ得だけでルアー本体４０が構成されるから、ルアー１０が簡単な要領で組み立てられ、その結果、ルアー１０の製造コスト（特に組立コスト）が低減される。
【００２４】
また、左パネル１２及び右パネル１３は、上記空洞２６を備えるから、ルアー本体４０が中空構造を有する。したがって、ルアー１０の重心位置の設計の自由度が向上する。これにより、ルアーの仕様に応じた最適の重心位置が決定され得るという利点がある。加えて、ルアー１０が中空構造を備えることにより、ルアー１０は、さらに軽量化が図られ、釣人にとって扱いやすいものとなる。
【００２５】
特に上記フレーム１１が金属により構成され、このフレーム１１と一体的に錘１４が設けられているので、ルアー１０の重心位置の設計の自由度がさらに向上し、錘１４は、当該ルアー１０の仕様に応じて最適な位置に配置される。また、フレーム１１にラインアイ１５及びフックアイ１６、１７が一体的に形成されているので、ルアー本体４０の組立作業がきわめて容易になるという利点がある。
【００２６】
さらに、前述のように、このルアー１０では、フレーム１１の外縁部が露出しているので、例えば実釣中にルアー１０が釣り場の石その他の障害物に衝突したときは、当該障害物にフレーム１１が衝突する。したがって、ルアー本体４０が衝撃によって損傷を受けることが防止されるという利点もある。
【産業上の利用可能性】
【００２７】
本発明は、釣りの際に使用されるルアーに適用され得る。
【図面の簡単な説明】
【００２８】
【図１】図１は、本発明の一実施形態に係るルアーの正面図である。
【図２】図２は、本発明の一実施形態に係るルアーの左側面図である。
【図３】図３は、本発明の一実施形態に係るルアーのフレームの正面図である。
【図４】図４は、本発明の一実施形態に係るルアーのフレームの左側面図である。
【図５】図５は、本発明の一実施形態に係るルアーの右パネルの正面図である。
【図６】図６は、本発明の一実施形態に係るルアーの右パネルの左側面図である。
【符号の説明】
【００２９】
１０・・・ルアー
１１・・・フレーム
１２・・・左パネル
１３・・・右パネル
１４・・・錘
１５・・・ラインアイ
１６・・・フックアイ
１７・・・フックアイ
１８〜２５・・・嵌合孔
２６・・・空洞
２８・・・当接平面
２９〜３２・・・突起
３５・・・切欠部
４０・・・ルアー本体
【図１】
2005348671.tif 000003
【図２】
2005348671.tif 000004
【図３】
2005348671.tif 000005
【図４】
2005348671.tif 000006
【図５】
2005348671.tif 000007
【図６】
2005348671.tif 000008